(57)【要約】      （修正有）【課題】大きい地震、周期の長い地震波による木造住宅の崩落を防ぐための、金属製の筋交い取り付け用具を提供する。【解決手段】地震の波による木造住宅の変形を小さくするためのものであって、金属製の、筋交い取り付け用具で、土台または桁に取り付ける部品である金属枠１と、棒状金属など、柱状物などの筋交いに取り付ける部品である金属板またはコの字型の金属枠１５との二つの部品からなり、二つの部品１、１５を列車の連結のように連結して土台または桁と筋交いを繋ぐ用具で、連結部が、円筒状のもの４と円柱状のもの８との組み合わせになっており、連結部の、筋交いの上下の取り付け角度に遊びがある。【選択図】図７
0003206343.tif 000002
【実用新案登録請求の範囲】
【請求項１】
金属製の、筋交い取り付け用具であって、土台または桁に取り付ける部品である金属枠と、棒状金属など（棒状金属およびワイヤーロープ）、柱状物などの筋交いに取り付ける部品である金属板またはコの字型の金属枠との二つの部品からなり、二つの部品を列車の連結のように連結して土台または桁と筋交いを繋ぐ用具で、連結部が、円筒状のものと円柱状のものとの組み合わせになっており、連結部に、筋交いの上下の取り付け角度に遊びがある、金属製の、筋交い取り付け用具。
【請求項２】
筋交い取り付け用具の、土台または桁に取り付ける部品であって、金属の枠で土台や桁の外周を包み込むようにして取り付ける部品。
【請求項３】
筋交い取り付け用具の、土台または桁に取り付ける部品であって、金属の枠で土台や桁の外周を包み込むようにして取り付ける部品で、引っ張り型、圧縮型の筋交いを取り付けた時、地震時に力のかかる土台や桁の面と金属枠の内面との間にゴム板を挟み、地震による急激な衝撃を瞬時に緩和できる、土台または桁に取り付ける部品。
【請求項４】
筋交い取り付け用具の、棒状金属などの筋交いに取り付ける部品であって、金属板またはコの字型の金属枠に円筒状の穴を付け、棒状金属などを通して止め付ける部品。
【請求項５】
筋交い取り付け用具の、棒状金属などの筋交いに取り付ける部品であって、複数の本数の棒状金属に取り付けるもので、金属板またはコの字型の金属枠にそれらを通す複数の円筒状のものが付いた部品。
【請求項６】
ワイヤーロープ専用の筋交い取り付け用具であって、土台または桁に取り付ける金属枠にフックまたは穴が付いた用具で、この用具にワイヤーロープを直接取り付けるため、筋交いに取り付ける部品は不要な用具。
【請求項７】
引っ張り型筋交いと圧縮型筋交いの両型の筋交いを一組にしたものに取り付ける部品であって、柱様、分厚い板様物の圧縮型筋交いにコの字型の金属枠をはめ込みボルトで固定し、そのコの字型の金属枠の両外面に円筒状の物を二つ付け、二本の棒状金属などの引っ張り型の筋交いに通して止め付ける部品。
【請求項８】
土台や桁に取り付ける部品であって、筋交いに取り付ける部品を左右対称に二つ連結できるよう、連結部を左右対称に二つ持つ部品。ワイヤーロープ専用の場合は、フックまたは穴を左右対称に二つ持つ用具。土台や桁に取り付けた時筋交いが土台や桁と一体となり二等辺三角形を形作るもの。
【請求項９】
ボルトを通すことができる円筒状のものが付いた、筋交いに取り付ける部品を用いることで可能になる、ボルト・ナットを用いる引っ張り型筋交い。
【請求項１０】
ワイヤーロープを通すことができる円筒状のものが付いた筋交いに取り付ける部品を用いることや、ワイヤーロープ専用の土台や桁に取り付ける用具を用いることで可能になる、ワイヤーロープを用いる引っ張り型筋交い。
【請求項１１】
木造住宅の変形防止のために、木造住宅の柱、間柱、土台、桁に囲まれた長方形の空間または同等の空間に組み込む、筋交いなどに用いられる木材で作った丈夫な三角形状の木枠を連結して作る、外観が鉄塔や鉄橋の一面のような壁様物。
【請求項１２】
木造住宅の柱、間柱、土台、桁で囲まれる空間、または同等の空間に組み込み、木造住宅の変形を防止するための、外観が鉄塔や鉄橋の一面のような壁様物であって、筋交いなどに用いる断面が４５ｃｍ×９０ｃｍの木材または同等の木材で作られる三角形状の木枠で、木材同士の角を繋ぐための金具を多用して作られる頑丈な三角形状の木枠を三個以上、ボルトなどを用い強固に連結したもの。
【請求項１３】
木造住宅の柱、間柱、土台、桁で囲まれる空間、または同等の空間に組み込み、木造住宅の変形を防止するための、外観が鉄塔や鉄橋の一面のような壁様物であって、集成材、金属で一体成型で作られた頑丈な三角形状のものを三個以上ボルトなどで強固に連結したもの、または三角形の形状が三個以上になるように一体成型したもの。
【考案の詳細な説明】
【技術分野】
【０００１】考案は地震時に木造住宅の、長方形、正方形の木組みが平行四辺形に変わることを極力防ぐことで住宅全体の変形を小さくして、大きい地震、周期の長い地震波による木造住宅の崩落を極力防ぐための考案である。
【背景技術】
【０００２】風圧や、地震の力などによる木造住宅の変形を防止するために圧縮型筋交い、引っ張り型筋交いの二つの型の筋交いが用いられている。筋交いと桁、土台、柱などへの取り付けには特別な用具は用いられておらず、筋交いは釘、ボルト、かすがいなどの連結用の金具で直接柱、桁、土台に取り付けられている。また地震の運動エネルギーを壁で吸収する工法もある。木製の壁で木ずり壁もある。また変形しやすい構築物の中に硬い物を装填すれば構築物は変形出来なることがよく知られており、硬い物の役割を三角形を連結したもので代用できることもよく知られており、プラネタリウムのような構築物で外周が三角形の繋ぎ合わせの様な多面体のものもある。変形させようとする外力に強い抵抗を発揮する三角形を組合わせたものに、鉄塔、鉄橋がある。
【考案の概要】
【考案が解決しようとする課題】
【０００３】究極の課題は地震時の木造住宅の変形を極力小さくすることである。木造住宅の変形防止で使われている圧縮筋交いと引っ張り筋交いのどちらも、巨大な力で動く木材を、木材や金属棒を使って押し戻し、引き戻すものであるから筋交いの土台、桁、柱などへの取り付け方法が非常に重要になる。特に逃げる木材を木材や金属棒を使って引き戻すことは非常に難しい。また、変形しやすい形状のものを変形させなくする方法として中に硬い物を詰め込むことがよく知られており、高剛性の詰め物の代わりに三角形の構造物にすればよいこともよく知られている。このことを活用することも課題である。
【課題を解決するための手段】
【０００４】動く木材を引っ張って引き戻すには、通常、柔らかくて強いロープを木材にぐるぐる回しにして結んで引っ張る。しかし鉄筋のような剛性のものは木材に、特に四角い木材にぐるぐる回しに出来ない。それゆえに結果としてぐるぐる回しにしたことと同じになるよう、金属の枠で四角い木材を包み込み、包み込んだ金属の枠を棒状金属、ワイヤーロープで引っ張るようにする。棒状金属、ワイヤーロープを止めつけるために金属板にボルト穴のような円筒状の止め付け部を付け、そして止め付け部の付いた、筋交いに取り付ける部品（金属板）又は柱、柱状のものにも取り付ける部品（コの字型の金属枠）と土台や桁を包み込むようにして取り付ける、土台や桁に取り付ける部品（金属枠）とを、列車の連結のように連結する。棒状金属に長いボルトを用いるとナットで固定でき、取り付け作業も容易である。ワイヤーロープはつり橋などに用いられるように、大きい力がかかるものを引っ張る専用の用具であり、止め付けるものがあれば引っ張り型筋交いに使用できる。引っ張り型筋交いに取り付ける部品の形状が金属板またはコの字型の金属枠で、バランスをとるため、表裏に二本の引っ張り型筋交いを対象に付けることになり、筋交いが二本になることから引っ張り力が強化する。列車の連結では前後、左右、上下に遊びがある。筋交いの場合には、列車ほど動きに自由がないので、筋交いのボルトなどの上下の角度のみ少し遊びを設ける。遊びは硬いもので動くものを繋ぐとき非常に大切なもので、連結部の働きと、連結されるものの動きが非常に自然になり、力の授受が円滑になる。また遊びは、筋交いの取り付け作業を非常に容易にする。筋交い取り付け用具の連結部も列車の連結部を作る金属と同じ金属で作ることが望ましい。引っ張り筋交いにワイヤーロープのみ用いる場合、ワイヤーロープは金属棒よりしなやかなため金属棒の場合のような連結型にせず、金属枠にフックまたは穴をつけ、ワイヤーロープを直接金属枠にとりつけて、遊びの必要なしの円滑な引っ張りにする。土台又は桁に取り付ける金属枠の部品に、筋交いに取り付ける部品を二つ左右対称に連結できるよう、連結部を左右対称に二つ付けると、筋交いと土台や桁とで二等辺三角形が形成される。筋交いのみはＶ字状になる。逆さまのＶ字、逆さまの二等辺三角形の形状もある。地震の時、横波の地震の揺れの向きが変わっても必ず筋交いが働く。波の形が同じなら同じように働く。圧縮型と引っ張り型を一組にした筋交いに取り付けできる取り付け部品を用いると、地震の波の方向が入れ替わっても圧縮型と引っ張り型の筋交いが必ず働く。地震の波がどちらの向きでも同形なら、この筋交いも二等辺三角形で左右対称で同形だから、どちらの波の向きでも圧縮型筋交いと引っ張り型筋交いが同じように働く。筋交いを取り付ける場所には制限があるので、一つの土台や桁に取り付ける部品（金属枠）に二つの筋交いに取り付ける部品（金属板またはコの字状の金属枠）が付いたものは筋交いの取り付けの密度を高めることに有用である。地震時に、引っ張り型筋交いでは土台の下面、桁の上面に、圧縮型筋交いでは土台の上面、桁の下面に大きい衝撃がかかる。それゆえ、それらの面と金属枠の内面との間にゴム板を挟み、急激な衝撃を緩和する。木造住宅を変形させないようにする方法で筋交いの利用以外の方法に、極めて変形しにくい壁様物の利用が考えられる。長方形、正方形の形状の木枠で極めて変形形しやすい形状の木枠の中にコンクリートを流し込み固めると木枠は変形できなくなる。このコンクリートの働きを、三角形を繋ぎ合わせた構造のものが持っていることがよく知られている。台風の風圧にも耐え、地震の横波、縦波に耐え、列車の重み、振動にも耐え形状を維持する鉄塔、鉄橋は三角形の集合体である。上を列車が走る木造の橋もある。木造住宅の木枠の中に鉄塔、鉄橋の一面を切り取ったような形状の極めて変形しにくい壁様物を組み込み木造住宅全体の変形を防止する。鉄塔、鉄橋は縦揺れにも抵抗性大につき、大きい地震や、周期の長い地震波の横揺れのみならず、木造住宅を縦揺れに対しても強くする。三角形の形状の木枠を作ることでは、筋交いなどに用いられる木材などの丈夫な木材を用い、また平面、二面、三面繋ぎなどの角を繋ぐ金具を多用して頑丈な木枠をつくる。木枠同士の連結はボルトなどで強固に連結する。近年、木材、竹の繊維層と合成樹脂とからなる集成材が多用されるようになっている。鉄塔や鉄橋の一面のような形状（外観）の壁様物を集成材、金属で、同形の木材製の壁様物の剛性と類似の剛性を持つように一体成型で作り、木造住宅の変形防止に用いる。
【考案の効果】
【０００５】取り付け用具を用いることで筋交いを適切に取り付けることができ、また引っ張りの専用用具であるワイヤーロープも使えるようになることから筋交いの働きを高めることができ、また一か所に二本以上の引っ張り筋交いの取り付け、一か所に圧縮型、引っ張り型の筋交いの一組の筋交いの取り付け、二等辺三角形の形状になる筋交いの取り付けなど筋交いの密度を著しく高めることで、地震時の木造住宅の変形を小さくすることができる。また極めて変形しにくい壁様物の組み込みで横波による木造住宅の変形を小さくできるのみならず地震の縦波に対しても強い住宅にすることができ、また極めて変形しにくい壁様物を準構造材として間柱などに代わって用い、耐震性を向上させることも考えられる。
【図面の簡単な説明】
【０００６】
【図１】土台や桁に取り付ける、金属枠で連結部を持つ部品の正面図。（桁方向に見た図）
【図２】土台や桁に取り付ける、金属枠で連結部を持つ部品の側面図。
【図３】棒状金属、ワイヤーロープなどの引っ張り型筋交いに取り付ける、金属板に円筒状の穴と連結部が付いた部品の側面図で筋交いが長いボルトの場合の図。
【図４】棒状金属、ワイヤーロープなどの引っ張り型筋交いに取り付ける金属板の部品の平面図で筋交いが長いボルトの場合の図。
【図５】土台や桁に取り付ける部品で筋交いがワイヤーロープ専用のものの側面図でワイヤーロープ取り付けのための穴をもつものの図。
【図６】土台や桁に取り付ける部品で筋交いがワイヤーロープ専用のものの正面図で桁方向に見た図。
【図７】引っ張り型筋交いと圧縮型筋交いを一組にしたものに取り付ける、筋交いに取り付ける部品で柱や柱様物に取り付けるコの字型の金属枠に棒状金属に取り付ける円筒状のものを付けた部品と、桁に取り付けた金属枠の部品とを連結させた図で側面図。筋交いに取り付ける部品が、筋交いに引っ張り型筋交いの長いボルト二本と圧縮型筋交いの断面が４５ｃｍ×９０ｃｍ位の木材を取り付けたものの図である。連結部のカバーを外したものの図でまた桁を包み込んでいる金属枠の内面と桁の上下の面との間にゴム版が入っているものの図。
【図８】筋交いに取り付ける部品で、引っ張り型筋交いの長いボルトと圧縮型筋交いの断面が４５ｃｍ×９０ｃｍ位の木材に取り付ける部品の平面図で引っ張り型筋交いと圧縮型筋交いを一組にした筋交いに取り付ける部品の平面図。
【図９】土台や桁に取り付ける部品で、筋交いに取り付ける部品を左右対称に二つ連結できるよう左右対称に二つの連結部をもつ筋交いに取り付ける部品の側面図。
【図１０】三角形の木枠作成のための金具の一例。二面繋ぎのもの。
【図１１】木造住宅の柱、間柱、土台、桁に囲まれた空間に組み込むもので、三角形の木枠を三個連結した壁様物の一例で、外観が鉄塔や鉄橋の一面のような壁様物。（組み立てのための金具、ボルトなど全て記載省略）
【図１２】木造住宅の柱、間柱、土台、桁に囲まれた空間に組み込むもので、三角形の木枠を六個連結した壁様物の一例で、外観が鉄塔や鉄橋の一面のような壁様（組み立てのための金具、ボルトなど全て記載省略）
【図１３】三角形の木枠を連結した壁様物を木造住宅に組み込んだものの一例で模式図。
【符号の説明】
【０００７】１  金属枠
２  ゴム板
３  桁
４  連結部の円筒状のもの、またはそのものがある所
５  連結部カバー（他の同形も同）
６  ストッパー
７  連結部カバー取り付けのボルト穴（他の同形も同）
８  連結部の円柱状のもの
９  引っ張り型筋交いの長いボルト（他の同形も同）
１０  ナット（他の同形も同）
１１  棒状金属、ワイヤーロープを通す円筒状の穴（他の同形も同）
１２  ワイヤーロープ取り付けの穴、または穴のある所
１３  圧縮型筋交いの、断面が４５ｃｍ×９０ｃｍ位の木材
１４  圧縮型筋交い固定のためのボルト穴（他の同形も同）
１５  圧縮型筋交いにはめ込むコの字型の金属枠
１６  金属板
【図１】
0003206343.tif 000003
【図２】
0003206343.tif 000004
【図３】
0003206343.tif 000005
【図４】
0003206343.tif 000006
【図５】
0003206343.tif 000007
【図６】
0003206343.tif 000008
【図７】
0003206343.tif 000009
【図８】
0003206343.tif 000010
【図９】
0003206343.tif 000011
【図１０】
0003206343.tif 000012
【図１１】
0003206343.tif 000013
【図１２】
0003206343.tif 000014
【図１３】
0003206343.tif 000015
【手続補正書】
【提出日】平成28年3月15日(2016.3.15)
【手続補正１】
【補正対象書類名】明細書
【補正対象項目名】全文
【補正方法】変更
【補正の内容】
【考案の詳細な説明】
【技術分野】
【０００１】考案は地震時に木造住宅の、長方形、正方形の木組みが平行四辺形に変わることを極力防ぐことで住宅全体の変形を小さくして、大きい地震、周期の長い地震波による木造住宅の崩落を極力防ぐための考案である。
【背景技術】
【０００２】風圧や、地震の力などによる木造住宅の変形を防止するために圧縮型筋交い、引っ張り型筋交いの二つの型の筋交いが用いられている。筋交いの桁、土台、柱などへの取り付けには特別な用具は用いられておらず、筋交いは釘、ボルト、かすがいなどの連結用の金具で直接柱、桁、土台に取り付けられている。また地震の運動エネルギーを壁で吸収する工法もある。木製の壁で木ずり壁もある。また変形しやすい構築物の中に硬い物を装填すれば構築物は変形出来なくなることがよく知られており、硬い物の役割を三角形を連結したもので代用できることもよく知られており、プラネタリウムのような構築物で外周が三角形の繋ぎ合わせの様な多面体のものもある。変形させようとする外力に強い抵抗を発揮する三角形を組合わせたものに、鉄塔、鉄橋がある。
【考案の概要】
【考案が解決しようとする課題】
【０００３】究極の課題は地震時の木造住宅の変形を極力小さくすることである。木造住宅の変形防止で使われている圧縮筋交いと引っ張り筋交いのどちらも、巨大な力で動く木材を、木材や金属棒を使って押し戻し、引き戻すものであるから筋交いの土台、桁、柱などへの取り付け方法が非常に重要になる。特に逃げる木材を木材や金属棒を使って引き戻すことは非常に難しい。また、変形しやすい形状のものを変形させなくする方法として中に硬い物を詰め込むことがよく知られており、高剛性の詰め物の代わりに三角形の構造物にすればよいこともよく知られている。このことを活用することも課題である。
【課題を解決するための手段】
【０００４】動く木材を引っ張って引き戻すには、通常、柔らかくて強いロープを木材にぐるぐる回しにして結んで引っ張る。しかし鉄筋のような剛性のものは木材に、特に四角い木材にぐるぐる回しに出来ない。それゆえに結果としてぐるぐる回しにしたことと同じになるよう、金属の枠で四角い木材を包み込み、包み込んだ金属の枠を棒状金属、ワイヤーロープで引っ張るようにする。棒状金属、ワイヤーロープを止めつけるために金属板にボルト穴のような円筒状の止め付け部を付け、そして止め付け部の付いた、筋交いに取り付ける部品（金属板）又は柱、柱状のものにも取り付ける部品（コの字型の金属枠）と土台や桁を包み込むようにして取り付ける、土台や桁に取り付ける部品（金属枠）とを、列車の連結のように連結する。棒状金属に長いボルトを用いるとナットで固定でき、取り付け作業も容易である。ワイヤーロープはつり橋などに用いられるように、大きい力がかかるものを引っ張る専用の用具であり、止め付けるものがあれば引っ張り型筋交いに使用できる。引っ張り型筋交いに取り付ける部品の形状が金属板またはコの字型の金属枠で、バランスをとるため、表裏に二本の引っ張り型筋交いを対象に付けることになり、筋交いが二本になることから引っ張り力が強化する。列車の連結では前後、左右、上下に遊びがある。筋交いの場合には、列車ほど動きに自由がないので、筋交いのボルトなどの上下の角度のみ少し遊びを設ける。遊びは硬いもので動くものを繋ぐとき非常に大切なもので、連結部の働きと、連結されるものの動きが非常に自然になり、力の授受が円滑になる。また遊びは、筋交いの取り付け作業を非常に容易にする。筋交い取り付け用具の連結部も列車の連結部を作る金属と同じ金属で作ることが望ましい。引っ張り筋交いにワイヤーロープのみ用いる場合、ワイヤーロープは金属棒よりしなやかなため金属棒の場合のような連結型にせず、金属枠にフックまたは穴をつけ、ワイヤーロープを直接金属枠にとりつけて、遊びの必要なしの円滑な引っ張りにする。土台又は桁に取り付ける金属枠の部品に、筋交いに取り付ける部品を二つ左右対称に連結できるよう、連結部を左右対称に二つ付けると、筋交いと土台や桁とで二等辺三角形が形成される。筋交いのみはＶ字状になる。逆さまのＶ字、逆さまの二等辺三角形の形状もある。地震の時、横波の地震の揺れの向きが変わっても必ず筋交いが働く。波の形が同じなら同じように働く。圧縮型と引っ張り型を一組にした筋交いに取り付けできる取り付け部品を用いると、地震の波の方向が入れ替わっても圧縮型と引っ張り型の筋交いが必ず働く。地震の波がどちらの向きでも同形なら、この筋交いも二等辺三角形で左右対称で同形だから、どちらの波の向きでも圧縮型筋交いと引っ張り型筋交いが同じように働く。筋交いを取り付ける場所には制限があるので、一つの土台や桁に取り付ける部品（金属枠）に二つの筋交いに取り付ける部品（金属板またはコの字状の金属枠）が付いたものは筋交いの取り付けの密度を高めることに有用である。地震時に、引っ張り型筋交いでは土台の下面、桁の上面に、圧縮型筋交いでは土台の上面、桁の下面に大きい衝撃がかかる。それゆえ、それらの面と金属枠の内面との間にゴム板を挟み、急激な衝撃を緩和する。木造住宅を変形させないようにする方法で筋交いの利用以外の方法に、極めて変形しにくい壁様物の利用が考えられる。長方形、正方形の形状の木枠で極めて変形しやすい形状の木枠の中にコンクリートを流し込み固めると木枠は変形できなくなる。このコンクリートの働きを、三角形を繋ぎ合わせた構造のものが持っていることがよく知られている。台風の風圧にも耐え、地震の横波、縦波に耐え、列車の重み、振動にも耐え形状を維持する鉄塔、鉄橋は三角形の集合体である。上を列車が走る木造の橋もある。木造住宅の木枠の中に鉄塔、鉄橋の一面を切り取ったような形状の極めて変形しにくい壁様物を組み込み木造住宅全体の変形を防止する。鉄塔、鉄橋は縦揺れにも抵抗性大につき、大きい地震や、周期の長い地震波の横揺れのみならず、木造住宅を縦揺れに対しても強くする。三角形の形状の木枠を作ることでは、筋交いなどに用いられる木材などの丈夫な木材を用い、また平面、二面、三面繋ぎなどの角を繋ぐ金具を多用して頑丈な木枠をつくる。木枠同士の連結はボルトなどで強固に連結する。近年、木材、竹の繊維層と合成樹脂とからなる集成材が多用されるようになっている。鉄塔や鉄橋の一面のような形状（外観）の壁様物を集成材、金属で、同形の木材製の壁様物の剛性と類似の剛性を持つように一体成型で作り、木造住宅の変形防止に用いる。
【考案の効果】
【０００５】取り付け用具を用いることで筋交いを適切に取り付けることができ、また引っ張りの専用用具であるワイヤーロープも使えるようになることから筋交いの働きを高めることができ、また一か所に二本以上の引っ張り筋交いの取り付け、一か所に圧縮型、引っ張り型の筋交いの一組の筋交いの取り付け、二等辺三角形の形状になる筋交いの取り付けなど筋交いの密度を著しく高めることで、地震時の木造住宅の変形を小さくすることができる。また極めて変形しにくい壁様物の組み込みで横波による木造住宅の変形を小さくできるのみならず地震の縦波に対しても強い住宅にすることができ、また極めて変形しにくい壁様物を準構造材として間柱などに代わって用い、耐震性を向上させることも考えられる。
【図面の簡単な説明】
【０００６】
【図１】土台や桁に取り付ける、金属枠で連結部を持つ部品の正面図。（桁方向に見た図）
【図２】土台や桁に取り付ける、金属枠で連結部を持つ部品の側面図。
【図３】棒状金属、ワイヤーロープなどの引っ張り型筋交いに取り付ける、金属板に円筒状の穴と連結部が付いた部品の側面図で筋交いが長いボルトの場合の図。
【図４】棒状金属、ワイヤーロープなどの引っ張り型筋交いに取り付ける金属板の部品の平面図で筋交いが長いボルトの場合の図。
【図５】土台や桁に取り付ける部品で筋交いがワイヤーロープ専用のものの側面図でワイヤーロープ取り付けのための穴をもつものの図。
【図６】土台や桁に取り付ける部品で筋交いがワイヤーロープ専用のものの正面図で桁方向に見た図。
【図７】引っ張り型筋交いと圧縮型筋交いを一組にしたものに取り付ける、筋交いに取り付ける部品で柱や柱様物に取り付けるコの字型の金属枠に棒状金属に取り付ける円筒状のものを付けた部品と、桁に取り付けた金属枠の部品とを連結させた図で側面図。筋交いに取り付ける部品が、筋交いに引っ張り型筋交いの長いボルト二本と圧縮型筋交いの断面が４５ｍｍ×９０ｍｍ位の木材を取り付けたものの図である。連結部のカバーを外したものの図でまた桁を包み込んでいる金属枠の内面と桁の上下の面との間にゴム版が入っているものの図。
【図８】筋交いに取り付ける部品で、引っ張り型筋交いの長いボルトと圧縮型筋交いの断面が４５ｍｍ×９０ｍｍ位の木材に取り付ける部品の平面図で引っ張り型筋交いと圧縮型筋交いを一組にした筋交いに取り付ける部品の平面図。
【図９】土台や桁に取り付ける部品で、筋交いに取り付ける部品を左右対称に二つ連結できるよう左右対称に二つの連結部をもつ筋交いに取り付ける部品の側面図。
【図１０】三角形の木枠作成のための金具の一例。二面繋ぎのもの。
【図１１】木造住宅の柱、間柱、土台、桁に囲まれた空間に組み込むもので、三角形の木枠を三個連結した壁様物の一例で、外観が鉄塔や鉄橋の一面のような壁様物。（組み立てのための金具、ボルトなど全て記載省略）
【図１２】木造住宅の柱、間柱、土台、桁に囲まれた空間に組み込むもので、三角形の木枠を六個連結した壁様物の一例で、外観が鉄塔や鉄橋の一面のような壁様物（組み立てのための金具、ボルトなど全て記載省略）
【図１３】三角形の木枠を連結した壁様物を木造住宅に組み込んだものの一例で模式図。
【符号の説明】
【０００７】１    金属枠
２    ゴム板
３    桁
４    連結部の円筒状のもの、またはそのものがある所
５    連結部カバー（他の同形も同）
６    ストッパー
７    連結部カバー取り付けのボルト穴（他の同形も同）
８    連結部の円柱状のもの
９    引っ張り型筋交いの長いボルト（他の同形も同）
１０  ナット（他の同形も同）
１１  棒状金属、ワイヤーロープを通す円筒状の穴（他の同形も同）
１２  ワイヤーロープ取り付けの穴、または穴のある所
１３  圧縮型筋交いの、断面が４５ｍｍ×９０ｍｍ位の木材
１４  圧縮型筋交い固定のためのボルト穴（他の同形も同）
１５  圧縮型筋交いにはめ込むコの字型の金属枠
１６  金属板
【手続補正２】
【補正対象書類名】実用新案登録請求の範囲
【補正対象項目名】全文
【補正方法】変更
【補正の内容】
【実用新案登録請求の範囲】
【請求項１】
金属製の、筋交い取り付け用具であって、土台または桁に取り付ける部品である金属枠と、棒状金属など（棒状金属およびワイヤーロープ）、柱状物などの筋交いに取り付ける部品である金属板またはコの字型の金属枠との二つの部品からなり、二つの部品を列車の連結のように連結して土台または桁と筋交いを繋ぐ用具で、連結部が、円筒状のものと円柱状のものとの組み合わせになっており、連結部に、筋交いの上下の取り付け角度に遊びがある、金属製の、筋交い取り付け用具。
【請求項２】
筋交い取り付け用具の、土台または桁に取り付ける部品であって、金属の枠で土台や桁の外周を包み込むようにして取り付ける部品。
【請求項３】
筋交い取り付け用具の、土台または桁に取り付ける部品であって、金属の枠で土台や桁の外周を包み込むようにして取り付ける部品で、引っ張り型、圧縮型の筋交いを取り付けた時、地震時に力のかかる土台や桁の面と金属枠の内面との間にゴム板を挟み、地震による急激な衝撃を瞬時に緩和できる、土台または桁に取り付ける部品。
【請求項４】
筋交い取り付け用具の、棒状金属などの筋交いに取り付ける部品であって、金属板またはコの字型の金属枠に円筒状の穴を付け、棒状金属などを通して止め付ける部品。
【請求項５】
筋交い取り付け用具の、棒状金属などの筋交いに取り付ける部品であって、複数の本数の棒状金属に取り付けるもので、金属板またはコの字型の金属枠にそれらを通す複数の円筒状のものが付いた部品。
【請求項６】
ワイヤーロープ専用の筋交い取り付け用具であって、土台または桁に取り付ける金属枠にフックまたは穴が付いた用具で、この用具にワイヤーロープを直接取り付けるため、筋交いに取り付ける部品は不要な用具。
【請求項７】
引っ張り型筋交いと圧縮型筋交いの両型の筋交いを一組にしたものに取り付ける部品であって、柱様、分厚い板様物の圧縮型筋交いにコの字型の金属枠をはめ込みボルトで固定し、そのコの字型の金属枠の両外面に円筒状の物を二つ付け、二本の棒状金属などの引っ張り型の筋交いに通して止め付ける部品。
【請求項８】
土台や桁に取り付ける部品であって、筋交いに取り付ける部品を左右対称に二つ連結できるよう、連結部を左右対称に二つ持つ部品。ワイヤーロープ専用の場合は、フックまたは穴を左右対称に二つ持つ用具。土台や桁に取り付けた時筋交いが土台や桁と一体となり二等辺三角形を形作るもの。
【請求項９】
ボルトを通すことができる円筒状のものが付いた、筋交いに取り付ける部品を用いることで可能になる、ボルト・ナットを用いる引っ張り型筋交い。
【請求項１０】
ワイヤーロープを通すことができる円筒状のものが付いた筋交いに取り付ける部品を用いることや、ワイヤーロープ専用の土台や桁に取り付ける用具を用いることで可能になる、ワイヤーロープを用いる引っ張り型筋交い。
【請求項１１】
木造住宅の変形防止のために、木造住宅の柱、間柱、土台、桁に囲まれた長方形の空間または同等の空間に組み込む、筋交いなどに用いられる木材で作った丈夫な三角形状の木枠を連結して作る、外観が鉄塔や鉄橋の一面のような壁様物。
【請求項１２】
木造住宅の柱、間柱、土台、桁で囲まれる空間、または同等の空間に組み込み、木造住宅の変形を防止するための、外観が鉄塔や鉄橋の一面のような壁様物であって、筋交いなどに用いる断面が４５ｍｍ×９０ｍｍの木材または同等の木材で作られる三角形状の木枠で、木材同士の角を繋ぐための金具を多用して作られる頑丈な三角形状の木枠を三個以上、ボルトなどを用い強固に連結したもの。
【請求項１３】
木造住宅の柱、間柱、土台、桁で囲まれる空間、または同等の空間に組み込み、木造住宅の変形を防止するための、外観が鉄塔や鉄橋の一面のような壁様物であって、集成材、金属で一体成型で作られた頑丈な三角形状のものを三個以上ボルトなどで強固に連結したもの、または三角形の形状が三個以上になるように一体成型したもの。
【手続補正書】
【提出日】平成28年5月20日(2016.5.20)
【手続補正１】
【補正対象書類名】明細書
【補正対象項目名】全文
【補正方法】変更
【補正の内容】
【考案の詳細な説明】
【技術分野】
【０００１】考案は地震時に木造住宅の、長方形、正方形の木組みが平行四辺形に変わることを極力防ぐことで住宅全体の変形を小さくして、大きい地震、周期の長い地震波による木造住宅の崩落を極力防ぐための考案である。
【背景技術】
【０００２】風圧や、地震の力などによる木造住宅の変形を防止するために圧縮型筋交い、引っ張り型筋交いの二つの型の筋交いが用いられている。筋交いの桁、土台、柱などへの取り付けには特別な用具は用いられておらず、筋交いは釘、ボルト、かすがいなどの連結用の金具で直接柱、桁、土台に取り付けられている。
【考案の概要】
【考案が解決しようとする課題】
【０００３】究極の課題は地震時の木造住宅の変形を極力小さくすることである。木造住宅の変形防止で使われている圧縮筋交いと引っ張り筋交いのどちらも、巨大な力で動く木材を、木材や金属棒を使って押し戻し、引き戻すものであるから筋交いの土台、桁、柱などへの取り付け方法が非常に重要になる。特に逃げる木材を木材や金属棒を使って引き戻すことは非常に難しい。
【課題を解決するための手段】
【０００４】動く木材を引っ張って引き戻すには、通常、柔らかくて強いロープを木材にぐるぐる回しにして結んで引っ張る。しかし鉄筋のような剛性のものは木材に、特に四角い木材にぐるぐる回しに出来ない。それゆえに結果としてぐるぐる回しにしたことと同じになるよう、金属の枠で四角い木材を包み込み、包み込んだ金属の枠を棒状金属、ワイヤーロープで引っ張るようにする。棒状金属、ワイヤーロープを止めつけるために金属板にボルト穴のような円筒状の止め付け部を付け、そして止め付け部の付いた、筋交いに取り付ける部品（金属板）又は柱、柱状のものにも取り付ける部品（コの字型の金属枠）と土台や桁を包み込むようにして取り付ける、土台や桁に取り付ける部品（金属枠）とを、列車の連結のように連結する。棒状金属に長いボルトを用いるとナットで固定でき、取り付け作業も容易である。ワイヤーロープはつり橋などに用いられるように、大きい力がかかるものを引っ張る専用の用具であり、止め付けるものがあれば引っ張り型筋交いに使用できる。引っ張り型筋交いに取り付ける部品の形状が金属板またはコの字型の金属枠で、バランスをとるため、表裏に二本の引っ張り型筋交いを対象に付けることになり、筋交いが二本になることから引っ張り力が強化する。列車の連結では前後、左右、上下に遊びがある。筋交いの場合には、列車ほど動きに自由がないので、筋交いのボルトなどの上下の角度のみ少し遊びを設ける。遊びは固いもので動くものを繋ぐとき非常に大切なもので、連結部の働きと、連結されるものの動きが非常に自然になり、力の授受が円滑になる。また遊びは、筋交いの取り付け作業を非常に容易にする。筋交い取り付け用具の連結部も列車の連結部を作る金属と同じ金属で作ることが望ましい。引っ張り筋交いにワイヤーロープのみ用いる場合、ワイヤーロープは金属棒よりしなやかなため金属棒の場合のような連結型にせず、金属枠にフックまたは穴をつけ、ワイヤーロープを直接金属枠にとりつけて、遊びの必要なしの円滑な引っ張りにする。土台又は桁に取り付ける金属枠の部品に、筋交いに取り付ける部品を二つ左右対称に連結できるよう、連結部を左右対称に二つ付けると、筋交いと土台や桁とで二等辺三角形が形成される。筋交いのみはＶ字状になる。逆さまのＶ字、逆さまの二等辺三角形の形状もある。地震の時、横波の地震の揺れの向きが変わっても必ず筋交いが働く。波の形が同じなら同じように働く。圧縮型と引っ張り型を一組にした筋交いに取り付けできる取り付け部品を用いると、地震の波の方向が入れ替わっても圧縮型と引っ張り型の筋交いが必ず働く。地震の波がどちらの向きでも同型なら、この筋交いも二等辺三角形で左右対称で同型だから、どちらの波の向きでも圧縮型筋交いと引っ張り型筋交いが同じように働く。筋交いを取り付ける場所には制限があるので、一つの土台や桁に取り付ける部品（金属枠）に二つの筋交いに取り付ける部品（金属板またはコの字状の金属枠）が付いたものは筋交いの取り付けの密度を高めることに有用である。地震時に、引っ張り型筋交いでは土台の下面、桁の上面に、圧縮型筋交いでは土台の上面、桁の下面に大きい衝撃がかかる。それゆえ、それらの面と金属枠の内面との間にゴム板を挟み、急激な衝撃を緩和する。
【考案の効果】
【０００５】取り付け用具を用いることで筋交いを適切に取り付けることができ、また引っ張りの専用用具であるワイヤーロープも使えるようになることから筋交いの働きを高めることができ、また一か所に二本以上の引っ張り筋交いの取り付け、一か所に圧縮型、引っ張り型の筋交いの一組の筋交いの取り付け、二等辺三角形の形状になる筋交いの取り付けなど筋交いの密度を著しく高めることで、地震時の木造住宅の変形を小さくすることができる。
【図面の簡単な説明】
【０００６】
【図１】土台や桁に取り付ける、金属枠で連結部を持つ部品の正面図。（桁方向に見た図）
【図２】土台や桁に取り付ける、金属枠で連結部を持つ部品の側面図。
【図３】棒状金属、ワイヤーロープなどの引っ張り型筋交いに取り付ける、金属板に円筒状の穴と連結部が付いた部品の側面図で筋交いが長いボルトの場合の図。
【図４】棒状金属、ワイヤーロープなどの引っ張り型筋交いに取り付ける金属板の部品の平面図で筋交いが長いボルトの場合の図。
【図５】土台や桁に取り付ける部品で筋交いがワイヤーロープ専用のものの側面図でワイヤーロープ取り付けのための穴をもつものの図。
【図６】土台や桁に取り付ける部品で筋交いがワイヤーロープ専用のものの正面図で桁方向に見た図。
【図７】引っ張り型筋交いと圧縮型筋交いを一組にしたものに取り付ける、筋交いに取り付ける部品で柱や柱様物に取り付けるコの字型の金属枠に棒状金属に取り付ける円筒状のものを付けた部品と、桁に取り付けた金属枠の部品とを連結させた図で側面図。筋交いに取り付ける部品が、筋交いに引っ張り型筋交いの長いボルト二本と圧縮型筋交いの断面が４５ｍｍ×９０ｍｍ位の木材を取り付けたものの図である。連結部のカバーを外したものの図でまた桁を包み込んでいる金属枠の内面と桁の上下の面との間にゴム版が入っているものの図。
【図８】筋交いに取り付ける部品で、引っ張り型筋交いの長いボルトと圧縮型筋交いの断面が４５ｍｍ×９０ｍｍ位の木材に取り付ける部品の平面図で引っ張り型筋交いと圧縮型筋交いを一組にした筋交いに取り付ける部品の平面図。
【図９】土台や桁に取り付ける部品で、筋交いに取り付ける部品を左右対称に二つ連結できるよう左右対称に二つの連結部をもつ筋交いに取り付ける部品の側面図。
【符号の説明】
【０００７】  １  金属枠
２  ゴム板
３  桁
４  連結部の円筒状のもの、またはそのものがある所
５  連結部カバー（他の同形も同）
６  ストッパー
７  連結部カバー取り付けのボルト穴（他の同形も同）
８  連結部の円柱状のもの
９  引っ張り型筋交いの長いボルト（他の同形も同）
１０  ナット（他の同形も同）
１１  棒状金属、ワイヤーロープを通す円筒状の穴（他の同形も同）
１２  ワイヤーロープ取り付けの穴、または穴のある所
１３  圧縮型筋交いの、断面が４５ｍｍ×９０ｍｍ位の木材
１４  圧縮型筋交い固定のためのボルト穴（他の同形も同）
１５  圧縮型筋交いにはめ込むコの字型の金属枠
１６  金属板
【手続補正２】
【補正対象書類名】実用新案登録請求の範囲
【補正対象項目名】全文
【補正方法】変更
【補正の内容】
【実用新案登録請求の範囲】
【請求項１】
地震の波による木造住宅の変形を小さくするためのものであって、金属製の、筋交い取り付け用具で、土台または桁に取り付ける部品である金属枠と、棒状金属など（棒状金属およびワイヤーロープ）、柱状物などの筋交いに取り付ける部品である金属板またはコの字型の金属枠との二つの部品からなり、二つの部品を列車の連結のように連結して土台または桁と筋交いを繋ぐ用具で、連結部が、円筒状のものと円柱状のものとの組み合わせになっており、連結部に、筋交いの上下の取り付け角度に遊びがある、金属製の、筋交い取り付け用具。
【請求項２】
筋交い取り付け用具の、土台または桁に取り付ける部品で、金属の枠で土台や桁の外周を包み込むようにして取り付けることを特徴とする請求項１に記載の筋交い取り付け用具の土台または桁に取り付ける部品。
【請求項３】
筋交い取り付け用具の、土台または桁に取り付ける部品で、金属の枠で土台や桁の外周を包み込むようにして取り付ける部品で、引っ張り型、圧縮型の筋交いを取り付けた時、地震時に力のかかる土台や桁の面と金属枠の内面との間にゴム板を挟み、地震による急激な衝撃を瞬時に緩和できることを特徴とする請求項１に記載の筋交い取り付け用具の土台または桁に取り付ける部品。
【請求項４】
筋交い取り付け用具の、棒状金属などの筋交いに取り付ける部品で、金属板またはコの字型の金属枠に円筒状の穴を付け、棒状金属などを通して止め付けることを特徴とする請求項１に記載の筋交い取り付け用具の棒状金属などの筋交いに取り付ける部品。
【請求項５】
筋交い取り付け用具の、棒状金属などの筋交いに取り付ける部品で、複数の本数の棒状金属などに取り付けるもので、金属板またはコの字型の金属枠にそれらを通す複数の円筒状のものが付いていることを特徴とする請求項１に記載の筋交い取り付け用具の棒状金属などの筋交いに取り付ける部品。
【請求項６】
筋交いに取り付ける部品を用いず、連結部を付けず、代わりに土台や桁に取り付ける部品の下部に穴またはフックを付け、ワイヤーロープ使用専用とすることを特徴とする請求項１に記載の筋交い取り付け用具の土台や桁に取り付ける部品。
【請求項７】
引っ張り型筋交いと圧縮型筋交いの両型の筋交いを一組にしたものに取り付ける部品で、柱様、分厚い板様物の圧縮型筋交いにコの字型の金属枠をはめ込みボルトで固定し、そのコの字型の金属枠の両外面に円筒状のものを二つ付け、二本の棒状金属などの引っ張り型の筋交いに通して止め付けることを特徴とする請求項１に記載の筋交い取り付け用具の両型の筋交いを一組にしたものに取り付ける部品。
【請求項８】
土台や桁に取り付ける部品で、筋交いに取り付ける部品を左右対称に二つ連結できるよう、連結部を左右対象に二つ持つ部品で、土台や桁に取り付けた時筋交いが土台や桁と一体となり二等辺三角形を形作ることを特徴とする請求項１に記載の筋交い取り付け用具の土台や桁に取り付ける部品。
【手続補正３】
【補正対象書類名】図面
【補正対象項目名】全図
【補正方法】変更
【補正の内容】
【図１】
0003206343.tif 000016
【図２】
0003206343.tif 000017
【図３】
0003206343.tif 000018
【図４】
0003206343.tif 000019
【図５】
0003206343.tif 000020
【図６】
0003206343.tif 000021
【図７】
0003206343.tif 000022
【図８】
0003206343.tif 000023
【図９】
0003206343.tif 000024